【手続補正書】
【提出日】平成29年1月24日(2017.1.24)
【手続補正１】
【補正対象書類名】特許請求の範囲
【補正対象項目名】全文
【補正方法】変更
【補正の内容】
【特許請求の範囲】
【請求項１】
記録媒体に記録された媒体識別情報に対応付けられた有価価値を用いて遊技機での遊技を可能にするための遊技可能化処理を実行可能な遊技用装置であって、
前記記録媒体がかざされたことに応じて前記記録媒体から媒体識別情報を受付ける受付手段と、
前記受付手段によって媒体識別情報が受付けられたことに応じて前記遊技可能化処理を実行するための遊技可能化手段と、
前記遊技可能化処理の実行に応じて、前記受付手段によって受付けられた媒体識別情報に対応付けられた有価価値情報を表示させるための処理を実行する第１表示処理手段と、
前記受付手段によって媒体識別情報が受付けられ、かつ所定の表示開始操作がなされたことに応じて、受付けられた媒体識別情報に対応付けられた媒体詳細情報を表示させるための第２表示処理を実行する第２表示処理手段とを備え、
前記第２表示処理手段は、前記第２表示処理の開始後、所定期間が経過すると前記媒体詳細情報を表示不能にするための表示不能処理を実行し、前回受付けられた媒体識別情報と同じ媒体識別情報が当該表示不能処理の実行中に新たに受付けられた場合には、再度、前記第２表示処理を実行し、
前記第２表示処理手段は、前記第２表示処理として、受付けられた媒体識別情報に対応付けられた遊技媒体の種類および単価の少なくとも一方ごとの遊技媒体数を管理装置から取得し、取得した遊技媒体数を前記媒体詳細情報として表示させるための処理を実行する、遊技用装置。
【手続補正２】
【補正対象書類名】明細書
【補正対象項目名】０００７
【補正方法】変更
【補正の内容】
【０００７】
（１）  記録媒体（たとえば、遊技者が所有する携帯端末１７１）に記録された媒体識別情報（たとえば、端末ＩＤ）に対応付けられた有価価値（たとえば、プリペイド残額、持玉、貯玉、遊技得点）を用いて遊技機（たとえば、スロットマシン１、パチンコ遊技機７０１）での遊技を可能にするための遊技可能化処理を実行可能な遊技用装置（たとえば、スロットマシン１、カードユニット７５０）であって、
前記記録媒体がかざされたことに応じて前記記録媒体から媒体識別情報を受付ける受付手段（たとえば、図１７のステップＳｎａ２）と、
前記受付手段によって媒体識別情報が受付けられたことに応じて前記遊技可能化処理を実行するための遊技可能化手段（たとえば、図１７のステップＳｎａ７）と、
前記遊技可能化処理の実行に応じて、前記受付手段によって受付けられた媒体識別情報に対応付けられた有価価値情報（たとえば、遊技可能なプリペイド残額、持玉数、貯玉数、遊技得点）を表示させるための処理を実行する第１表示処理手段（たとえば、図１７のステップＳｎａ８）と、
前記受付手段によって媒体識別情報が受付けられ（たとえば、図３２のステップＳｔａ１にて端末ＩＤ受付けありと判定され）、かつ所定の表示開始操作がなされた（たとえば、図２７のステップＳｇ６にて情報照会操作ありと判定された）ことに応じて、受付けられた媒体識別情報に対応付けられた媒体詳細情報（たとえば、端末詳細情報）を表示させるための第２表示処理を実行する第２表示処理手段（たとえば、図３２のステップＳｔａ２）とを備え、
前記第２表示処理手段は、前記第２表示処理の開始後（たとえば、図３２のステップＳｔａ４にて端末詳細情報表示時間の計時が開始された後）、所定期間が経過すると前記媒体詳細情報を表示不能にするための表示不能処理を実行し（たとえば、図３４のステップＳｕ８の処理を行なう）、前回受付けられた媒体識別情報と同じ媒体識別情報が当該表示不能処理の実行中に新たに受付けられた場合（たとえば、図３４のステップＳｕ７にてＹＥＳと判定された場合）には、再度、前記第２表示処理を実行し（たとえば、図３４のステップＳｕ５の処理を行なう）し、
前記第２表示処理手段は、前記第２表示処理として、受付けられた媒体識別情報に対応付けられた遊技媒体の種類（たとえば、メダル、パチンコ玉）および単価（たとえば、１玉１円、１玉２円、１玉４円、１枚５円、１枚２０円など）の少なくとも一方ごとの遊技媒体数を管理装置（たとえば、カード管理コンピュータ５００、ホールコンピュータ５４０、メダル管理コンピュータ５５０）から取得し、取得した遊技媒体数を前記媒体詳細情報として表示させるための処理たとえば、図３３（ｃ）に示す端末詳細情報画面を表示させる処理）を実行する。
【手続補正３】
【補正対象書類名】明細書
【補正対象項目名】０００８
【補正方法】変更
【補正の内容】
【０００８】
このような構成によれば、媒体識別情報が受付けられ、かつ所定の表示開始操作がなされたことに応じて非接触で受付けた記録媒体に対応付けられた媒体詳細情報を第２表示処理によって表示するが、第２表示処理の開始後に所定期間が経過すると前記媒体詳細情報が表示不能とされる。このため、第２表示処理を開始してから所定時間の経過で、媒体詳細情報を他の遊技者に表示不能にすることが可能な遊技用装置を提供することができる。しかも、前回受付けられた媒体識別情報と同じ媒体識別情報が当該表示不能処理の実行中に新たに受付けられた場合には、再度、第２表示処理が実行されるため、同じ遊技者が媒体詳細情報を再表示させることが可能となる。また、受付けられた媒体識別情報に対応付けられた遊技媒体の種類および単価の少なくとも一方ごとの遊技媒体数が管理装置から取得され、取得された遊技媒体数が媒体詳細情報として表示される。このため、当該遊技用装置に対応する遊技機で遊技可能な種類または単価の遊技媒体だけではなく、他の遊技機で遊技可能な種類または単価の遊技媒体数をも遊技者に見せることができる。その結果、遊技者の利便性を向上させることができる。
【手続補正４】
【補正対象書類名】明細書
【補正対象項目名】０００９
【補正方法】変更
【補正の内容】
【０００９】
（２）  上記（１）に記載の遊技用装置において、
前記表示不能処理は、前記第２表示処理を開始してから所定時間が経過したという条件（たとえば、図３４のステップＳｕ２に示す条件）の成立により実行される。
【手続補正５】
【補正対象書類名】明細書
【補正対象項目名】００１１
【補正方法】変更
【補正の内容】
【００１１】
（３）  上記（１）に記載の遊技用装置において、
前記表示不能処理は、遊技が終了したという条件（たとえば、図３４のステップＳｕ３に示す条件）の成立により実行される。
【手続補正６】
【補正対象書類名】明細書
【補正対象項目名】００１３
【補正方法】変更
【補正の内容】
【００１３】
（４）  上記（１）に記載の遊技用装置において、
前記表示不能処理は、前記入力手段に所定の表示終了操作がなされたという条件（たとえば、図３４のステップＳｕ４に示す条件）の成立により実行される。
【手続補正７】
【補正対象書類名】明細書
【補正対象項目名】００１４
【補正方法】変更
【補正の内容】
【００１４】
このような構成によれば、表示終了操作がなされた場合に、媒体詳細情報を他の遊技者に表示不能にすることができる。
【手続補正８】
【補正対象書類名】明細書
【補正対象項目名】００１５
【補正方法】変更
【補正の内容】
【００１５】
（５）  上記（１）〜（４）のいずれかに記載の遊技用装置において、
前記第２表示処理手段は、前記表示不能処理の実行条件が成立した場合であっても、前回受付けられた媒体識別情報と同じ媒体識別情報が新たに受付けられた場合（たとえば、図３４のステップＳｕ７にてＹＥＳと判定された場合）には、前記表示不能処理を実行しない（たとえば、図３４のステップＳｕ５の処理を行なう）。
【手続補正９】
【補正対象書類名】明細書
【補正対象項目名】００１６
【補正方法】変更
【補正の内容】
【００１６】
このような構成によれば、第２表示処理の開始後に表示不能処理の実行条件が成立した場合であっても、同じ記録媒体がかざされた場合には表示不能処理を実行しない。そのため、同じ遊技者が媒体詳細情報を再表示させることが可能となる。
【手続補正１０】
【補正対象書類名】明細書
【補正対象項目名】００１７
【補正方法】変更
【補正の内容】
【００１７】
（６）  上記（１）〜（５）のいずれかに記載の遊技用装置において、
前記遊技可能化手段は、前記受付手段に前記媒体識別情報が受付けられた場合、操作がなくても、前記遊技可能化処理を実行し（たとえば、図１７において、ステップＳｎａ２にて端末ＩＤが受付けられた場合、操作がなくてもステップＳｎａ７にて再プレイ処理を実行する）、
前記第２表示処理手段は、前記表示開始操作がなされ、かつその後に前記受付手段に前記媒体識別情報が受付けられた場合（たとえば、図２７のステップＳｇ６にて情報照会操作ありと判定され、その後に図３２のステップＳｔａ１にて端末ＩＤ受付けありと判定された場合）に、前記第２表示処理を実行する（たとえば、図３２のステップＳｔａ２の処理を行なう）。
【手続補正１１】
【補正対象書類名】明細書
【補正対象項目名】００１８
【補正方法】変更
【補正の内容】
【００１８】
このような構成によれば、遊技者は、表示開始操作の後に記録媒体をかざすという簡易な操作で媒体詳細情報を表示させることができる。そのため、遊技者の利便性を向上させることができる。